(57)【要約】【課題】常用かつ非常用として使用可能な常用および非常用兼用浄水器を提供すること。【解決手段】常用および非常用兼用浄水器は、非常用ユニット１と、異物除去ユニット２と、第１チューブ７１と、水道管９１に設けられる分岐栓９２とを備える。非常用ユニット１は、原水を受ける容器３と、この原水を異物除去ユニット２へ加圧送水する手動ポンプ４と、減圧弁５を有する。異物除去ユニット２は、原水から異物を除去する逆浸透膜フィルタ装置６と、異物を除去された浄水を供給する第２チューブ７２を有する。第１チューブ７１は、逆浸透膜フィルタ装置６を減圧弁５もしくは、分岐栓９２と選択的に連結可能に設けられている。【選択図】図１
2007175607.tif 000002
【特許請求の範囲】
【請求項１】
非常用ユニットと、異物除去ユニットと、連結手段と、水道管に設けられる分岐栓とを備えて構成されている常用および非常用兼用浄水器であって、
前記非常用ユニットは、原水を貯留する原水貯留手段と、この原水貯留手段中の原水を異物除去ユニットへ加圧送水する手動加圧手段と、この手動加圧手段に接続されて加圧された原水の圧力を調整する圧力調整手段とを有して構成されているとともに、
前記異物除去ユニットは、原水から原水中の異物を除去する異物除去手段と、異物除去手段で異物を除去された浄水を所望位置に送水する浄水流路とを有して構成され、
前記連結手段は、前記異物除去手段を前記圧力調整手段もしくは、前記分岐栓と選択的に連結可能に設けられている
ことを特徴とする常用および非常用兼用浄水器。
【請求項２】
請求項１に記載の常用および非常用兼用浄水器において、
前記手動加圧手段および圧力調整手段は、それぞれ前記原水貯留手段に着脱可能に設けられており、
前記手動加圧手段、圧力調整手段、連結手段および異物除去ユニットは、前記原水貯留手段に収納可能に設けられている
ことを特徴とする常用および非常用兼用浄水器。
【請求項３】
請求項１または請求項２に記載の常用および非常用兼用浄水器において、
前記異物除去手段は、逆浸透膜フィルタで構成され、原水を逆浸透膜フィルタの非透過濃縮側の濃縮水と逆浸透膜フィルタを透過した透過水とに分離し、
前記異物除去ユニットは、前記濃縮水を排水する、もしくは、前記原水貯留手段に送水する濃縮水流路を備えている
ことを特徴とする常用および非常用兼用浄水器。
【請求項４】
請求項１から請求項３のいずれかに記載の常用および非常用兼用浄水器において、
前記異物除去ユニットは、前記異物除去手段に接続され通電時に原水を通水可能に構成された電磁弁を備え、
前記連結手段は、前記電磁弁を介して異物除去手段に連結可能に設けられ、
前記電磁弁には、この電磁弁をバイパスする手動開閉弁が設けられている
ことを特徴とする常用および非常用兼用浄水器。
【発明の詳細な説明】
【技術分野】
【０００１】
本発明は、常用および非常用兼用浄水器に関する。詳しくは、原水中の異物を除去する異物除去手段として、例えば、逆浸透膜フィルタを利用した常用および非常用兼用浄水器に関する。
【背景技術】
【０００２】
従来、逆浸透膜フィルタを利用した携帯用浄水器が知られ、アウトドア用途等に利用されている（例えば、特許文献１参照）。このような従来の携帯用浄水器は、台風や地震等の災害が起こった際に、電気や水道が一時的に停止するような場所であっても、安全かつ容易に浄水を製造することができる。
【０００３】
【特許文献１】特開平８−２４３３５７号公報
【発明の開示】
【発明が解決しようとする課題】
【０００４】
しかしながら、従来の携帯用浄水器は、災害時等で非常用として使用できる構成にはなっていたが、同一の異物除去手段を用いて常用として使用できるとともに、非常用としても使用できる構成ではなかった。
【０００５】
本発明の目的は、常用として使用できるとともに、非常用として容易に持ち出して戸外等で使用できる常用および非常用兼用浄水器を提供することである。
【課題を解決するための手段】
【０００６】
本発明の常用および非常用兼用浄水器は、非常用ユニットと、異物除去ユニットと、連結手段と、水道管に設けられる分岐栓とを備えて構成されている常用および非常用兼用浄水器であって、前記非常用ユニットは、原水を貯留する原水貯留手段と、この原水貯留手段中の原水を異物除去ユニットへ加圧送水する手動加圧手段と、この手動加圧手段に接続されて加圧された原水の圧力を調整する圧力調整手段とを有して構成されているとともに、前記異物除去ユニットは、原水から原水中の異物を除去する異物除去手段と、異物除去手段で異物を除去された浄水を所望位置に送水する浄水流路とを有して構成され、前記連結手段は、前記異物除去手段を前記圧力調整手段もしくは、前記分岐栓と選択的に連結可能に設けられていることを特徴とする。
【０００７】
ここで、異物除去手段としては、例えば、活性炭フィルターや中空糸膜フィルタといった一般的な異物除去フィルタを利用でき、あるいは、一般的なフィルタよりも高性能な逆浸透膜フィルタを利用することもできる。また、手動加圧手段としては、例えば持ち運びの容易な手動ポンプを利用でき、この手動ポンプの構造については特に限定するものではなく、ピストンロッドをピストンの移動方向に直接押し引きする方式のものでも、ピストンロッドと連結したレバーを使って小さな操作力で大きな押力をピストンに加える方式のものでもよい。
【０００８】
このような構成において、常用として使用する際は、異物除去ユニットを水道管の分岐栓付近に配置して、分岐栓および異物除去手段を連結手段で連結させる。次に、分岐栓から水道水を異物除去手段に送水する。すると、原水である水道水は、異物除去手段において異物が除去され、浄水として浄水流路へ送られる。このようにして、浄水流路から浄水が所望位置へ供給される。この際、非常用ユニットは、常用としては使用しないので非常用持ち出し品等と一緒に保管しておく。
【０００９】
また、非常用として使用する際には、分岐栓および異物除去手段の連結を解除する。次に、異物除去ユニットおよび非常用ユニットを安全な場所に持ち出す。そこで、圧力調整手段および異物除去手段を連結手段で連結して、非常用ユニットの手動加圧手段から圧力調整手段を介して異物除去ユニットの異物除去手段まで原水が流れるようにする。次に、原水として風呂水、河川水または雨水等を原水貯留手段に溜め、手動加圧手段によって原水を異物除去手段に加圧送水する。すると、異物除去手段において常用での使用と同様に、原水は異物が除去され、浄水として浄水流路へ送られる。
ここで、原水貯留手段に予め原水を貯留しておいてから、圧力調整手段および異物除去手段を連結してもよい。このほうが河川水や雨水等を原水貯留手段で予め汲んできて浄水を製造する場合に効率がよい。
【００１０】
この発明によれば、常用および非常用兼用浄水器は、異物除去ユニットを常用として使用できるとともに、非常用として異物除去ユニットおよび非常用ユニットを持ち出して互いに接続することで戸外等でも浄水を製造することができ、常用および非常用兼用で使用することができる。
【００１１】
また、圧力調整手段は、例えば減圧弁や圧力調整弁等が利用できる。
通常、手動加圧手段によって異物除去手段に加圧送水される原水の圧力は、水道水を原水とした場合と比べて変動が大きくなる。そして、所定圧力を超えて加圧された原水が異物除去手段に送水されると、手動加圧手段から異物除去手段までの間の連結手段および原水流路から水漏れが生じたり、異物除去手段が破損したりする可能性がある。
【００１２】
この発明によれば、手動加圧手段と原水流路との間に圧力調整手段が設けられているので、非常用として使用する際に、原水が手動加圧手段によって所定圧力を超えて加圧されたとしても、圧力調整手段にて設定された所定圧力まで減圧される。すると、圧力調整手段から異物除去手段へは所定圧力を超えて加圧された原水が送水されない。よって、手動加圧手段から異物除去手段までの間の連結手段および原水流路から水漏れや、異物除去手段の破損等を防止することができる。
【００１３】
本発明の常用および非常用兼用浄水器では、前記手動加圧手段および圧力調整手段は、それぞれ前記原水貯留手段に着脱可能に設けられており、前記手動加圧手段、圧力調整手段、連結手段および異物除去ユニットは、前記原水貯留手段に収納可能に設けられていることが好ましい。
【００１４】
このような構成において、非常用ユニットは、原水貯留手段から手動加圧手段および圧力調整手段を取り外して原水貯留手段の内部に収納した状態で保管しておく。そして、非常用として使用する際には、異物除去ユニットおよび連結手段も原水貯留手段の内部に収納して安全な場所に持ち出せばよい。
この発明によれば、原水貯留手段に手動加圧手段、圧力調整手段、連結手段および異物除去ユニットを収納することで非常用として使用する際に安全な場所まで容易に常用および非常用兼用浄水器を持ち出すことができる。
【００１５】
本発明の常用および非常用兼用浄水器では、前記異物除去手段は、逆浸透膜フィルタで構成され、原水を逆浸透膜フィルタの非透過濃縮側の濃縮水と逆浸透膜フィルタを透過した透過水とに分離し、前記異物除去ユニットは、前記濃縮水を排水する、もしくは、前記原水貯留手段に送水する濃縮水流路を備えていることが好ましい。
【００１６】
この発明によれば、常用および非常用兼用浄水器は、異物除去手段を逆浸透膜フィルタで構成したので、ダイオキシン類、鉛、ヒ素、硝酸性窒素、農薬等の有害物質を除去することができる。従って、異物除去手段を逆浸透膜フィルタで構成したことで他方式の異物除去手段よりも安全性の高い飲み水を供給することができる。
【００１７】
本発明の常用および非常用兼用浄水器では、前記異物除去ユニットは、前記異物除去手段に接続され通電時に原水を通水可能に構成された電磁弁を備え、前記連結手段は、前記電磁弁を介して異物除去手段に連結可能に設けられ、前記電磁弁には、この電磁弁をバイパスする手動開閉弁が設けられていることが好ましい。
【００１８】
このような構成において、常用として使用する際には、まず、異物除去ユニットの電磁弁をバイパスするように設けられた手動開閉弁を閉じるとともに、分岐栓および電磁弁を連結手段で連結させる。次に、分岐栓を開いて、水道水が電磁弁まで送水された状態にする。このような状態で浄水を製造するときだけ電磁弁を通電させれば、水道水が電磁弁を通って異物除去手段に送水されるので、浄水を製造するたびに分岐栓を操作する必要がなく、電磁弁によって電動で水道水の送水を行うことができる。よって、操作性を向上させることができる。
【００１９】
また、非常用として使用する際には、手動開閉弁を開くとともに、電磁弁と分岐栓との連結を解除し、電磁弁と非常用ユニットの圧力調整手段とを連結手段で連結させる。このような状態で手動加圧手段を操作して原水を異物除去ユニットへ加圧送水させれば、電磁弁をバイパスする手動開閉弁を通じて原水が異物除去手段に送水される。すなわち、停電等の理由で異物除去ユニットの電磁弁を通電させることができない場合には、原水が電磁弁を通ることができないが、電磁弁をバイパスする手動開閉弁を設けて、この手動開閉弁を開けることで、原水を異物除去手段に送水することができる。よって、異物除去ユニットを常用として使用することができるだけでなく、非常用として兼用することができる。
【発明を実施するための最良の形態】
【００２０】
以下、本発明の実施の形態を図面に基づいて説明する。なお、以下の説明にあたって、同一構成要件については、同一符号を付し、その説明を省略もしくは簡略化する。
（第１実施形態）
図１は、本発明の第１実施形態に係る常用および非常用兼用浄水器の全体構成を示す回路図である。図２は、常用および非常用兼用浄水器を非常用として使用する際の構成を示す斜視図である。図３は、常用および非常用兼用浄水器を常用として使用する際の構成を示す斜視図である。
【００２１】
常用および非常用兼用浄水器は、図１に示すように、非常用の原水を加圧送水する非常用ユニット１と、常用の原水としての水道水を供給する分岐栓９２と、原水から原水中の異物を除去する異物除去ユニット２と、連結手段としての第１チューブ７１とを備えて構成されている。これらの構成の連結方法を以下に説明し、各構成の詳細については後述する。
異物除去ユニット２には、原水を取り込む接続口Ａが設けられている。非常用ユニット１には、原水を送り出す接続口Ｂが設けられている。分岐栓９２には、水道水を送り出す接続口Ｃが設けられている。
非常用として用いられる際には、第１チューブ７１は、異物除去ユニット２の接続口Ａおよび非常用ユニット１の接続口Ｂを連結する。
一方、常用として用いられる際には、第１チューブ７１は、異物除去ユニット２の接続口Ａおよび分岐栓９２の接続口Ｃを連結する。
このように、第１チューブ７１は、異物除去ユニット２と非常用ユニット１とを連結するか、あるいは、異物除去ユニット２と分岐栓９２とを連結するかを選択可能に設けられている。
【００２２】
（非常用として使用する際の構成の説明）
常用および非常用兼用浄水器は、図２に示すように、非常用ユニット１および異物除去ユニット２が第１チューブ７１によって連結された構成となっており、非常用として使用することができる。
非常用ユニット１は、原水を貯留する原水貯留手段としての容器３と、この容器３から原水を異物除去ユニット２に加圧送水する手動加圧手段としての手動ポンプ４と、この手動ポンプ４で加圧送水された原水の圧力を調整して所定圧力以下にする圧力調整手段としての減圧弁５を有している。
【００２３】
容器３は、例えば合成樹脂製の箱状で、原水として風呂水、河川水または雨水等を内部に入れるための開口部３１を有し、この開口部３１の外周には容器３を運ぶときに手の指を掛け易くするための鍔部３２が形成されている。
手動ポンプ４は、一般的構造の手動式ポンプであり、取付台４８を介して容器３に着脱可能に取り付けられている。
この手動ポンプ４で容器３内の原水を加圧送水するには、ハンドル４２を図中、略上下方向であるＸ方向に往復移動させる。ハンドル４２は、シリンダ４３，ピストン４４，リンク部材４７からなるリンク機構が形成されているので、ハンドル４２の動きに連動してピストン４４もＸ方向に往復移動する。ここで、ハンドル４２を上方に移動させると、吸込口が容器３内の原水中に配置されている吸込管４５を通して、ピストン４４の上昇によって原水がシリンダ４３内に吸込まれる。そして、ハンドル４２を下方に移動させると、減圧弁５と連通する吐出管４６へピストン４４の下降によって加圧された原水が送水される。
ここで、ハンドル４２は、その軸線方向である図中Ｙ方向に伸縮可能に構成されており、縮めた状態にすることで容器３内に収納可能な長さになっている。また、ハンドル４２を伸ばした状態にすれば、ハンドル４２のグリップ４２Ａ部に同じ力を加えても、ピストン４４に作用する力が増大するので、グリップ４２Ａ部を操作する操作力が軽減される。
このハンドル４２の伸縮構造としては、ハンドル４２が長手方向に複数に分割され、それらが入れ子構造となっているものでもよく、折り畳み構造となっているものでもよい。その際、伸ばした状態で各接続部がバイオネット式等のロック装置で固定されるようになっているのがよい。
あるいは、ハンドル４２は、着脱可能な延長部材を設けることで、操作するときにグリップ４２Ａと連結ピン４４Ａ間の寸法を長くするような構成とされていてもよく、前述と同様の効果が得られる。
【００２４】
さらに、手動ポンプ４は、図２に示す構造に特に限定するものではない。例えば、ピストン４４の一端に直接ハンドルが設けられていて、このハンドルを押し引きすることで、ピストン４４が往復移動して原水を加圧送水する構成のものであってもよい。
【００２５】
減圧弁５は、取付台４８を介して容器３に着脱可能に取り付けられており、手動ポンプ４の吐出管４６に接続されている。減圧弁５は、一般的構造のもので、図示しない調整ねじを回転させて所定圧力を設定できる構成になっている。なお、減圧弁５は、減圧の設定が固定のものでもよい。
ここで、手動ポンプ４、減圧弁５および取付台４８は、容器３から分離して、これら三者および異物除去ユニット２を同時に容器３内に収納可能な大きさとなっている。本実施形態の浄水器を常用として使用する際には、容器３内にこれら手動ポンプ４、減圧弁５および取付台４８を収納した状態で保管する。この際、他の非常用持ち出し品等と一緒に保管する。
【００２６】
ここで、減圧弁５は、これに加圧送水された原水の圧力を表示する圧力表示器５１を備えたものであってもよい。これによって、手動ポンプ４を操作する際に、減圧弁５に加圧送水される原水の圧力を圧力表示器５１で確認しながら、ハンドル４２を操作することができるので、減圧弁５で設定された所定圧力以上に手動ポンプ４で加圧するという無駄な労力を省くことができる。
【００２７】
次に、異物除去ユニット２は、原水から異物を除去する異物除去手段としての逆浸透膜フィルタ装置６と、この逆浸透膜フィルタ装置６を固定するフィルタ固定部材６１と、逆浸透膜フィルタ装置６で異物を除去された浄水を所望位置に送水する浄水流路としての第２のチューブ７２と、濃縮水流路としての第３のチューブ７３を備えて構成されている。
【００２８】
逆浸透膜フィルタ装置６は、図示を省略するが一般的に、半透膜によって原水側と浄水側とに区画されており、原水側に第１チューブ７１から加圧送水された原水のうち水分子のみが半透膜を通り抜けて、浄水側から浄水が第２チューブ７２を通して出水される構成となっている。また、半透膜を通り抜けることができない異物は、濃縮水として第３チューブ７３から排出され、この濃縮水を再び容器３に溜めて原水として再利用する。
第１チューブ７１の一端には、非常の際に減圧弁５とスムーズに着脱できるクイックジョイント７４が設けられている。このクイックジョイント７４は、ワンタッチカップラ等と呼ばれているものである。
第２チューブ７２は、浄水を所望する位置まで送水するが、例えば、逆浸透膜フィルタ装置６付近に配置された浄水ポット８まで浄水を送水してもよい。このように浄水を浄水ポット８に貯留すれば、非常の際の飲み水等として浄水を容易に使用することができる。
【００２９】
ここで、逆浸透膜フィルタ装置６に加圧送水される原水の圧力は、０．７MPa以下であるほうがよく、０．７MPaを超える圧力の原水が逆浸透膜フィルタ装置６に供給されると、手動ポンプ４から逆浸透膜フィルタ装置６間のクイックジョイント７４および第１チューブ７１等から水漏れが生じたり、逆浸透膜フィルタ装置６が破損したりする可能性がある。そこで、本実施形態では、減圧弁５の設定圧力を０．７MPa以下に設定することが望ましい。
【００３０】
（常用として使用する際の構成の説明）
次に、常用および非常用兼用浄水器は、図３に示すように、異物除去ユニット２およびおよび水道管９１に設けられた分岐栓９２が第１チューブ７１によって連結された構成となっており、常用として使用することができる。
【００３１】
異物除去ユニット２および第１チューブ７１は、前述の非常用として使用する際の異物除去ユニット２および第１チューブ７１がそのまま用いられている。
分岐栓９２は、台所等の水道の水道管９１に取り付けられている。分岐栓９２は、第１チューブ７１の一端との接続部９２Ａ、水道の取水口９２Ｂ、これら水道水の供給方向を切り換える分岐栓９２のレバー９２Ｃを有しており、分岐栓９２のレバー９２Ｃによって、水道水を取水口９２Ｂもしくは第１チューブ７１の接続部９２Ａへ供給することができる。分岐栓９２の接続部９２Ａとしては、第１チューブ７１の一端に設けられたクイックジョイント７４がそのまま接続できる。
ここで、異物除去ユニット２の第３チューブ７３から排出される濃縮水は、台所等のシンクに設けられていた排水口９４に排水されるように配置されている。
【００３２】
ここで、一般家庭の水道水の水圧は、０．２〜０．７MPaの範囲であり、また、ビル等の高層階に設置された水道水の水圧は、０．１２〜０．３MPaの範囲あるので、本実施形態では、水道水の水圧による分岐栓９２から逆浸透膜フィルタ装置６間の接続部９２Ａや第１チューブ７１からの水漏れや、逆浸透膜フィルタ装置６の破損といった心配はない。
また、水道水の水圧が０．３MPaの場合、本実施形態の浄水器では毎時３Lの浄水を製造することができる。
【００３３】
このような構成において、常用として使用する際には、蛇口９１Ａのレバー９１Ｂを開き、分岐栓９２のレバー９２Ｃを切り換えて水道水を第１チューブ７１に供給する。そして、逆浸透膜フィルタ装置６に水道水を供給し、逆浸透膜フィルタ装置６の半透膜を透過した水道水は、浄水となって第２チューブ７２より出水される。
【００３４】
第２チューブ７２から出水された浄水を例えば、浄水ポット８に貯留すれば、一度に大量の浄水を使用する際に、溜め置くことができる。常用として使用する場合、第２チューブ７２を分岐栓９２の位置まで配設して、あたかも分岐栓９２から浄水が出水するようにすることもできる。
【００３５】
従って、本実施形態によれば、次の効果を奏することができる。
（１）本実施形態の常用および非常用兼用浄水器は、異物除去ユニット２を常用として使用するとともに、非常用としても異物除去ユニット２および非常用ユニット１を戸外等へ持ち出して第１チューブ７１で連結して使用する構成としたので、常用および非常用兼用で使用することができる。
【００３６】
（２）本実施形態の常用および非常用兼用浄水器は、手動ポンプ４と逆浸透膜フィルタ装置６との間に圧力調整手段としての減圧弁５が設けられているので、非常用として使用する際に、原水が手動ポンプ４によって所定圧力を超えて加圧されたとしても、減圧弁５にて設定された所定圧力まで減圧されるので、減圧弁５より下流側の逆浸透膜フィルタ装置６には所定圧力を超えて加圧された原水が送水されない。よって、水漏れや逆浸透膜フィルタ装置６の破損等を防止することができる。
【００３７】
（３）本実施形態の常用および非常用兼用浄水器では、非常用ユニット１は、容器３から手動ポンプ４および減圧弁５を取り外して容器３の内部に収納した状態で保管しておき、非常用として使用する際には、異物除去ユニット２および第１チューブ７１も容器３の内部に収納するので、安全な場所に容易に常用および非常用兼用浄水器を持ち出すことができる。
【００３８】
（４）本実施形態の常用および非常用兼用浄水器は、異物除去手段として逆浸透膜フィルタ装置６を用いたので、他方式の従来の異物除去手段では達成できなかった安全性の高い飲み水を供給することができる。
【００３９】
（第２実施形態）
次に、本発明の第２実施形態について説明する。第２実施形態は、異物除去ユニット２Ａのみが前記第１実施形態と相違するものであるため、その部分のみを説明する。なお、以下の実施形態において、前述した実施形態と同一または同様の構成部分には同一符号を付し、説明を省略または簡略する。
第２実施形態の異物除去ユニット２Ａには、図４に示すように、連結手段としての第１チューブ７１と異物除去手段としての逆浸透膜フィルタ装置６とを接続し、通電時に原水を通水して逆浸透膜フィルタ装置６に原水を供給可能に構成された電磁弁６２が設けられている。さらに、この電磁弁６２をバイパスするように手動開閉弁６３が設けられている。
【００４０】
また、浄水流路としての第２チューブ７２における出口側端部には、第２チューブ７２に送水された浄水を貯留する浄水タンク８１が設けられている。この浄水タンク８１下部には、貯留された浄水を必要に応じて取水可能な浄水用取水部８２が設けられている。浄水タンク８１上部には、オーバーフロー用チューブ８３が設けられ、万が一、浄水タンク８１に所定量以上の浄水が送水された場合に、浄水タンク８１内部の浄水を排水することができ、あるいは、原水貯留手段としての容器３に送水することができる。
ここで、浄水タンク８１、浄水用取水部８２およびオーバーフロー用チューブ８３を異物除去ユニット２Ａと一体的に構成することで、異物除去ユニット２Ａに浄水の貯留機能を付加させてもよい。
【００４１】
このような構成において、非常用として用いられる際には、まず、異物除去ユニット２Ａの手動開閉弁６３を開くとともに、電磁弁６２と非常用ユニット１の減圧弁５とを第１チューブ７１で連結させる。このような状態で手動ポンプ４を操作して原水を異物除去ユニット２Ａへ加圧送水させれば、手動開閉弁６３を通じて原水が逆浸透膜フィルタ装置６に送水されて浄水が製造される。
また、常用として用いられる際には、まず、手動開閉弁６３を閉じるとともに、電磁弁６２と分岐栓９２とを第１チューブ７１で連結させる。次に、分岐栓９２を開いて、水道水が電磁弁６２まで送水された状態にする。このような状態で浄水を製造するときだけ電磁弁６２を通電させれば、水道水が電磁弁６２を通って逆浸透膜フィルタ装置６に送水される。この際、例えば、浄水タンク８１にレベルセンサを設置し、このレベルセンサが浄水タンク８１内部の浄水のレベルを検出して、浄水が所定のレベル以下の場合だけ電磁弁６２を通電させるようにすれば、浄水が所定のレベルに達するまで自動的に浄水を製造して浄水タンク８１に貯留させることができる。あるいは、電磁弁６２を通電状態にする押し釦を設けて、押し釦を押している間だけ浄水を製造するようにしてもよい。
【００４２】
このような第２実施形態によれば、上記の効果に加えて次の効果を得ることができる。
（５）常用として使用する際には、浄水を製造するときだけ電磁弁６２を通電させれば、水道水が電磁弁６２を通って逆浸透膜フィルタ装置６に送水されるので、浄水を製造するたびに分岐栓９２を操作する必要がなく、電磁弁６２によって電動で水道水の送水を行うことができ、操作性を向上させることができる。
【００４３】
（６）停電等の理由で電磁弁６２を通電させることができない場合であっても、電磁弁６２をバイパスする手動開閉弁６３を開けることで、原水を逆浸透膜フィルタ装置６に送水することができ、異物除去ユニット２Ａを常用として使用することができるだけでなく、非常用として兼用することができる。
【００４４】
なお、本発明は前述の各実施形態に限定されるものではなく、本発明の目的を達成できる範囲での変形、改良等は本発明に含まれるものである。
例えば、前記各実施形態では、異物除去手段は、逆浸透膜フィルタ装置６から構成されると説明したが、逆浸透膜フィルタ装置６以外で例えば、活性炭フィルターや中空糸膜フィルタといった一般的な異物除去フィルタであってもよい。また、逆浸透膜フィルタ装置６と活性炭フィルタを組み合わせた構成であってもよい。
【００４５】
また、前記各実施形態では、水道管９１の蛇口９１Ａに取り付けられた分岐栓９２は、分岐栓９２のレバー９２Ｃを切り換えて水道水の供給方向を設定してから蛇口９１Ａのレバー９１Ｂを開くという操作をしなければならなかった。しかし、本発明では、図５に示すように、蛇口９１Ａのレバー９１Ｂの下方に取り付けられ、分岐栓９３のレバー９３Ａを操作すれば、蛇口９１Ａのレバー９１Ｂを操作することなく水道水を第１チューブ７１に供給する分岐栓９３を利用してもよい。
【００４６】
また、前記各実施形態の原水貯留手段としての容器３には、開閉可能で容器３に着脱可能な蓋を設けてもよい。これによって、容器３に原水を入れて運搬する際に、容器３から原水がこぼれることを防止できる。
【００４７】
また、前記第２実施形態の異物除去ユニット２Ａには、図４に示すように、電磁弁６２と逆浸透膜フィルタ装置６との間に補助ポンプ６４を設けてもよい。常用として使用する際に、水道水の圧力を上昇させて逆浸透膜フィルタ装置６での浄水の製造能力を増大させたり、水道水の圧力が所定以下の場合には所定の水圧を確保したりするために補助ポンプ６４を利用することができる。この際、手動開閉弁６３は、電磁弁６２および補助ポンプ６４をバイパスするように設けられてもよく、あるいは、電磁弁６２だけをバイパスするか電磁弁６２と補助ポンプ６４とをバイパスするかを選択可能に設けられてもよい。そうすれば、補助ポンプ６４の構造が停止中には通水できない場合であっても、補助ポンプ６４をバイパスして原水を逆浸透膜フィルタ装置６へ送水することができる。
【００４８】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００４９】
【図１】本発明に係る第１実施形態の常用および非常用兼用浄水器の全体構成を示す回路図。
【図２】同上の常用および非常用兼用浄水器を非常用として使用する際の構成を示す斜視図。
【図３】同上の常用および非常用兼用浄水器を常用として使用する際の構成を示す斜視図。
【図４】本発明に係る第２実施形態の常用および非常用兼用浄水器の全体構成を示す回路図。
【図５】図３に示す構成の変形例を示す斜視図。
【符号の説明】
【００５０】
１…非常用ユニット
２，２Ａ…異物除去ユニット
３…容器（原水貯留手段）
４…手動ポンプ（手動加圧手段）
５…減圧弁（圧力調整手段）
６…逆浸透膜フィルタ装置（異物除去手段）
６２…電磁弁
６３…手動開閉弁
７１…第１チューブ（連結手段）
７２…第２チューブ（浄水流路）
７３…第３チューブ（濃縮水流路）
９１…水道管
９２，９３…分岐栓
【図１】
2007175607.tif 000003
【図２】
2007175607.tif 000004
【図３】
2007175607.tif 000005
【図４】
2007175607.tif 000006
【図５】
2007175607.tif 000007